(57)【特許請求の範囲】
【請求項１】
製造工程、設備の構成又は機種の変更に関する設備情報を収集する収集計算機と、収集した設備情報を格納するとともに生産設備全体に係る構成情報、管理情報、定義情報等を格納するデータベースサーバと、収集した設備情報を元に生産設備の全体の管理運用を制御するアプリケーションサーバとからなる設備情報の収集管理システムにおいて、
データベースサーバは、
画面表示する内容（データ項目）、位置、データ属性等を情報セットとして定義し、かつ、画面、ツリー、テーブル等の異なる表示方法を採ることに応じて区分し、管理グループＩＤで管理する表示内容定義管理手段と、
画面表示する表示項目データに情報リンクする設定を行って表示内容を変更可能にする表示情報リンク定義手段と、
を有し、
アプリケーションサーバは、
生産設備の資源の相互関係の構造を階層的なツリー構造で表示する第１の階層表示手段と、
生産設備の情報の相互関係の構造を階層的なツリー構造で表示する第２の階層表示手段と、
前記資源の相互関係の構造または前記情報の相互関係の構造の各階層における表示対象に対応してその表示対象に含まれる各種情報を複数の切り口の設定に基づいて表示させるデータ抽出・取得手段と、
を有する、
ことを特徴とする設備情報の収集管理システム。
【請求項２】
前記表示内容定義管理手段は、複数の管理グループＩＤを管理するタブグループＩＤを管理するタブグループ管理手段を備え、
前記データ抽出・取得手段は、前記タブグループ管理手段からタブグループＩＤを抽出し、該タブグループＩＤを表示画面に前記切り口を明示するタブとして表示することを特徴とする請求項１に記載の設備情報の収集管理システム。
【請求項３】
前記アプリケーションサーバは、
表示内容を絞り込むための条件検索手段を備え、
前記データ抽出・取得手段は、前記条件検索手段が設定した検索条件に合致する表示内容を前記データベースサーバの各種情報から抽出することを特徴とする請求項１に記載の設備情報の収集管理システム。
【請求項４】
前記アプリケーションサーバは、
前記データベースサーバの前記表示内容定義管理手段にアクセスして画面表示する内容を追加可能にする画面表示内容追加手段を有することを特徴とする請求項１に記載の設備情報の収集管理システム。
【請求項５】
前記画面表示内容追加手段は、画面表示内容追加画面をアクティブにし、必要な項目に入力して当該入力を確認し、さらに当該追加に係る管理グループＩＤを取得し、当該管理グループＩＤをキーに対応するデータテーブルを確定して必要なデータ項目に管理グループ情報を生成して追加することを特徴とする請求項４に記載の設備情報の収集管理システム。
【請求項６】
前記アプリケーションサーバは、
前記データベースサーバの前記表示内容定義管理手段にアクセスして画面表示する内容を削除可能にする画面表示内容削除手段を有することを特徴とする請求項１に記載の設備情報の収集管理システム。
【請求項７】
前記画面表示内容削除手段は、権限ある削除操作と認められた場合には、選択された表示項目に対応する表示項目マスタ情報および選択された表示項目に対応する管理グループ情報の登録を削除することを特徴とする請求項６に記載の設備情報の収集管理システム。
【請求項８】
前記アプリケーションサーバは、
前記データベースサーバの前記表示内容定義管理手段にアクセスして画面表示する内容を変更可能にする画面表示内容変更手段を有することを特徴とする請求項１に記載の設備情報の収集管理システム。
【請求項９】
前記画面表示内容変更手段は、画面表示内容変更画面をアクティブにし、必要な項目に入力して当該入力を確認し、さらに当該変更に係る管理グループＩＤを取得し、当該管理グループＩＤをキーに対応するデータテーブルを確定して必要なデータ項目に管理グループ情報を生成して変更することを特徴とする請求項８に記載の設備情報の収集管理システム。
【請求項１０】
前記収集計算機は、
収集内容、方式、収集元の定義データ取得手段と、
該定義データ取得手段の指示のもとに収集された一次設備情報にデータの補足・紐付けトリガーを付加するデータ連携手段を有する、
ことを特徴とする請求項１に記載の設備情報の収集管理システム。
【発明の詳細な説明】
【技術分野】
【０００１】
本発明は、設備情報の収集管理システムにかかり、特に、加工組立型の生産設備を対象に、製造工程、設備の構成、設備機種が変わっても柔軟に対応でき、また、業務目的により表示したい生産情報が変わってもこれに素早く変更できる設備情報の収集管理システムに関する。
【背景技術】
【０００２】
加工組立型生産システムにおいて従来は、製造する製品の変更、製造技術の進歩などにより、その製造工程、設備の構成を変えようと企図しても一旦できた生産システムを変更することは難しい。つまり製造する製品の変更、製造技術の進歩などにより生産システムを変えようと企図しても、設備から各種情報を収集する機能をもつ生産支援・管理システムが構築されていなかったりあるいは当該生産支援・管理システムに柔軟性が欠落したりして、簡単に変更すること難しいというのが一般的であった。
【０００３】
そこで下記特許文献１では、既設ラインの変更等を企図する場合に、工場をデータモデル化した仮想工場を作成し、該仮想工場の仮想設備には実機設備の機能のデータ、その設備に設定可能な段取り条件および運転条件(加工条件を含む)などのデータを有するようにして該仮想工場で疑似生産を行わせて少なくとも生産状況及び物流状況のシミュレーションを行いそのシミュレーション結果に基づいて既設ラインの変更等を実行する仮想工場システムが提案されている。
【特許文献１】特開２００２−３７３０１８号公報
【発明の開示】
【発明が解決しようとする課題】
【０００４】
生産システムは、製品の製造プロセスにより、設備・工程・使用する工具の構成がそれぞれ異なっており、上記特許文献１のような工場をデータモデル化して仮想工場を作成することは容易ではなく、やむをえず、一旦できた生産システムを製造する製品の変更、製造技術の進歩により、その製造工程、設備、の構成を変えているため、変更があった場合に設備から各種情報を収集する機能をもつ生産支援・管理システムが対応できないので、これを柔軟に対応できるようにしたいという要望に応えきれていないという課題があった。
【０００５】
また一般に生産システムにおいては、業務の目的により表示したい生産情報が数多く存在しており、限られる情報システムの資源で業務ニーズに応じてできるだけ多くの生産情報を提供して欲しいという要望に応えきれていないという課題があった。
【０００６】
さらに業務の目的により表示したい生産情報が異なり、表示する画面仕様も異なるため、限られる情報システムの資源で必要な情報を必要な形で簡単に表示できるようにして欲しいという要望に応えきれていないという課題があった。なかでも表示仕様を変更したい場合に簡単に素早く変更できるようにして欲しいという要望に応えきれていないという課題があった。
【０００７】
本発明は、上記課題の少なくとも１つを解決することができる設備情報の収集管理システムを提供することを目的とするものである。
【課題を解決するための手段】
【０００８】
本発明の設備情報の収集管理システムは、製造工程、設備の構成又は機種の変更に関する設備情報を収集する収集計算機（例えばＰＣ(パソコン)）と、収集した設備情報を格納するとともに生産設備全体に係る構成情報、管理情報、定義情報等を格納するデータベースサーバと、収集した設備情報を元に生産設備の全体の管理運用を制御するアプリケーションサーバとからなる設備情報の収集管理システムにおいて、データベースサーバは、画面表示する内容（データ項目）、位置、データ属性等を情報セットとして定義し、かつ、画面、ツリー、テーブル等の異なる表示方法を採ることに応じて区分し、管理グループＩＤで管理する表示内容定義管理手段と、画面表示する表示項目データに情報リンクする設定を行って表示内容を変更可能にする表示情報リンク定義手段と、を有し、アプリケーションサーバは、生産設備の資源の相互関係の構造を階層的なツリー構造で表示する第１の階層表示手段と、生産設備の情報の相互関係の構造を階層的なツリー構造で表示する第２の階層表示手段と、前記資源の相互関係の構造または前記情報の相互関係の構造の各階層における表示対象に対応してその表示対象に含まれる各種情報を複数の切り口の設定に基づいて表示させるデータ抽出・取得手段と、を有する、ことを特徴とする。
【発明の効果】
【０００９】
本発明によれば、各種の生産設備から構成される生産システムの各種情報を柔軟且つ簡単に収集、蓄積できるとともに、蓄積した各種生産情報をいろんな切り口で、必要な情報を素早く表示することができる。
【００１０】
また本発明によれば、製造工程、設備の構成、設備機種が変っても、柔軟に情報収集を行うことができ、また製造工程、設備の構成、設備機種が変ってもこれを管理するデータベースの変更を素早く行って設備情報の管理を迅速かつ的確に行うことができる。
【００１１】
また本発明によれば、業務目的により表示したい生産情報を変更したい場合にも表示を管理するテーブルのリンク設定を変えるだけで変更に対応した生産情報を素早く表示できる。
【発明を実施するための最良の形態】
【００１２】
以下、本発明の実施の形態を、図面を参照しながら説明する。
図１は、本発明の実施形態に係る設備情報の収集管理システムの構成を示すブロック図である。図１において本発明の設備情報の収集管理システムは、大きくは、収集ＰＣ(パソコン)250、ＤＢ(データベース)サーバ260、及び、ＡＰ(アプリケーション)サーバ270とで構成されている。なお図１においてはデータの流れを点線で示し、制御の流れを実線で示している。
【００１３】
収集ＰＣ(パソコン)250において、データ収集ドライバ252はデータ収集すべき機器・装置に関するデータを収集し、データ収集部253にデータを渡す。データ収集部253は、収集内容，方式，収集元関連の定義データ取得部255および収集スケジューラ256からの情報を元にデータ収集を実行する。データ収集部253で収集されたデータ(以下、これを単に‘収集データ’という)はプロセスデータファイル(収集系一時データ)254に格納される。プロセスデータ(収集系一時データ)ファイル254に格納された収集データは、収集内容，方式，収集元関連の定義データ取得部255の指示により制御されるデータ連携部257に渡され、データ連携部257においてデータの補足・紐付けトリガーがなされる。その結果、データ連携部257においてデータの補足・紐付けトリガーがなされた収集データはトレンドデータとなってＤＢサーバ260のトレンドデータファイル261に渡され、トレンドデータファイル261はトレンドデータを格納する。トレンドデータは、データ収集対象の機器・装置に情報変化がある場合またはデータ収集対象の機器・装置の最新の状態を把握できるようにするものである。
【００１４】
ＤＢサーバ260にはトレンドデータを格納するトレンドデータファイル261の外に、複数
の管理グループＩＤを一つのタブグループＩＤで管理する設備情報タブグループ定義情報ファイルT002(262)、管理グループ単位につけられる通番を項目ＩＤで管理する設備情報項目マスタファイルT005(263)、表示項目〜トレンドデータまで設備情報画面のリンク項目情報を管理する設備情報リンク項目情報ファイルT006(264)を備え、さらに設備情報画面のタブを管理グループＩＤで管理する設備情報グループ管理マスタファイルT001(265)、後述するテーブルT007〜T028に示すように各項目のデータを格納する項目情報ファイル266、タブグループとツリーの紐付けをツリーＩＤで管理する構成定義情報ファイル(ツリー表示項目マスタ)T003(267)を備えている。なおこれらのファイルの構造については後で詳しく説明する。
【００１５】
ＡＰサーバ270は、設備情報の収集管理システムのヘッドクォータ、すなわち司令本部をなすもので、収集した生産設備情報に紐付けされた情報を検索条件に合致する形式で設備情報画面に表示する。つまり、ＡＰサーバ270に条件検索部271を設けておき、数多く存在するデータについてどれを表示させるかを条件設定して検索し、表示データ抽出・取得部272は、当該検索条件に合致するデータを上述したＤＢサーバ260の各種データファイルから抽出・取得し、抽出・取得したデータをデータ表示部273に表示する。またＡＰサーバ270に設備情報・構成情報に関する構成定義部274を設けておき、ＤＢサーバ260の各種データ定義テーブルから定義情報を抽出して構成定義に合致する情報を抽出・取得して構造・情報表示部275に表示する。上記においてＤＢサーバ260の各種データ定義ファイルを追加、変更、削除する場合には、設備情報・構成情報に関する構成定義部274からＤＢサーバ260の各種データ定義ファイル、すなわち設備管理グループマスタファイル265、項目定義ファイル265、構成定義情報ファイル267を追加、変更、削除する。これについては後述する。
【００１６】
図２は、収集情報に係るテーブル間のリンク関係の一例を示す図である。図２には、トレース情報(工程払出履歴)テーブルT089、制御装置登録項目情報テーブルT012、機種マスタT058、工程用Ｃ／Ｔ項目情報テーブルT016を例示しており、それぞれのリンク関係(紐付け内容)は矢印線によって示されている。なお矢印線で示されていてもリンク元がないもの、例えば工程用Ｃ／Ｔ項目情報テーブルT016のシステム通番(１〜ｎ)、システム通番については改めて入力する。図２に示すトレース情報(工程払出履歴)テーブルT089は、データ収集された収集情報であって、図１のデータ連携部257によってテーブル内容が充足され、これがトレンドデータとなって図１に示すトレンドデータファイル261に格納される。図１には示していないが、トレンドデータファイル261の内容は所定の周期で関連するデータテーブルに更新のために利用される。その際、上述したリンク関係を元にデータの更新登録が行われる。
【００１７】
図３〜図３８は本発明の設備情報の収集管理システムに係る各種データテーブルの構造を示す図である。図３は、設備情報グループマスタテーブルT001のデータ構造を示し、設備情報の属性項目の管理グループを保持するテーブルであり、設備情報画面のタブを管理グループＩＤで管理する管理グループＩＤや、登録画面に表示する文字の言語辞書マスタに登録された言語辞書キーを指定する管理グループ言語キー、管理グループＩＤに紐付く項目情報テーブル名を指定するテーブル名、検索する項目のソート条件をSQL ORDER BY 句 で指定するソート条件等についてそれぞれ定義している。
【００１８】
図４は、設備情報タブグループマスタテーブルT002のデータ構造を示し、設備情報のタブグループを格納するテーブルであり、複数の管理グループＩＤを管理するタブグループＩＤ、タブグループＩＤに紐付く管理グループＩＤを指定する表示グループＩＤ、タブに表示する文字の言語辞書マスタに登録された言語辞書キーを指定するタブグループ言語キー、タブの表示順を指定するタブ表示順などについて定義する。
【００１９】
図５は、設備情報ツリー表示項目マスタテーブルT003のデータ構造を示し、設備情報のツリー表示項目を格納するテーブルであり、タブグループとの紐付けを管理するツリーＩＤ、ツリーに表示する文字の言語辞書マスタに登録された言語辞書キーを指定するツリー言語キー、ツリー選択時に表示するタブグループＩＤを指定するタブグループＩＤ、ツリー区分を指定するツリー区分、ツリーに表示するアイコンのファイル名を指定するアイコンファイル名、親ツリーＩＤ、各情報のツリー表示順を指定するツリー表示順、管理グループＩＤ、項目ＩＤ、削除時のストアドプロシジャ名を設定する削除プロシージャ名などについて定義する。
【００２０】
図６は、設備情報個別画面呼出マスタテーブルT004のデータ構造を示し、設備情報の個別画面呼び出しボタンの情報を格納するテーブルであり、紐付けする管理グループＩＤを指定する管理グループＩＤ、グループ内の通番を指定するグループ内通番、ボタンに表示する文字の言語辞書キーを指定する管理グループ言語キー、ボタンクリック時に表示する画面のプログラム名を指定するプログラム名などを定義する。
【００２１】
図７は、設備情報項目マスタテーブルT005のデータ構造を示し、設備情報の属性項目を管理するテーブルであり、紐付けする管理グループＩＤを指定する管理グループＩＤ、紐付けするタブグループＩＤを指定するタブグループＩＤ、管理グループ単位につけられる通番からなる項目ＩＤ、項目言語キー、単位言語キー、入力タイプ、データ型、有効桁数、小数点桁数、表示エリア幅、登録エリア幅、表示エリア高さ、登録エリア高さ、データ一覧表示する時に、左詰、中方揃え、右詰を指定するデータ表示位置、データ一覧表示、登録サブ画面表示の表示順の指定する表示順、必須、最小値、最大値、検索条件表示先、検索入力タイプ、変換形式1、変換形式2、変換形式3、iniファイル名、セクション名、キー名、自項目データ抽出SQL、自項目数、キー項目ＩＤ、連動項目ＩＤ、自項目表示パラメータ名、計算式フォーマット、集計有無、集計種別、文字情報マスタ参照有無、文字情報マスタ種別、レコードＩＤ情報、エクスポート列番号、インポートＤＢ項目名、インポート更新キー、有効無効、項目変更不可フラグなどを定義する。
【００２２】
図８は、設備情報リンク項目情報テーブルT006のデータ構造を示し、設備情報のリンク項目情報を管理するテーブルであり、紐付けする管理グループＩＤを指定する管理グループＩＤ、紐付けする項目ＩＤを指定する項目ＩＤ、リンク先に表示するデータを抽出するＳＱＬを記述するリンク項目データ抽出ＳＱＬ、リンク項目データ抽出ＳＱＬの結果を出力する項目ＩＤを指定するリンクデータ出力先項目ＩＤなどについて定義する。
【００２３】
図９は、製作所登録項目情報テーブルT007のデータ構造を示し、製作所登録情報の属性項目データを管理するテーブルであり、紐付けする管理グループＩＤを指定するグループＩＤ、レコード登録順に通番を格納するレコードＩＤ、項目ID1データ〜項目ID100データなどについて定義する。
【００２４】
図１０は、工場登録項目情報テーブルT008のデータ構造を示し、工場登録情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００２５】
図１１は、ライン登録情報項目情報テーブルT009のデータ構造を示し、ライン登録情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００２６】
図１２は、工程登録情報項目情報テーブルT010のデータ構造を示し、工程登録情報の属
性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００２７】
図１３は、設備登録情報項目情報テーブルT011のデータ構造を示し、設備登録情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００２８】
図１４は、制御装置登録情報項目情報テーブルT012のデータ構造を示し、制御装置登録情報の属性項目データを管理するテーブルであり、紐付けする管理グループＩＤを指定するグループＩＤ、レコードＩＤ、１項目が項目マスタ１レコードに対応する項目ID1データ〜項目ID100データなどについて定義する。
【００２９】
図１５は、ツール登録情報項目情報テーブルT013のデータ構造を示し、ツール登録情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３０】
図１６は、部品登録情報項目情報テーブルT014のデータ構造を示し、部品登録情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３１】
図１７は、文字情報項目情報テーブルT015のデータ構造を示し、プルダウン選択文字情報を格納するテーブルであり、種別、データコード、辞書キー、文字色、文字色コメントなどについて定義する。
【００３２】
図１８は、図１７の文字情報項目情報テーブルT015の項目‘種別’を細分してマスタ種およびマスタ名を展開し、マスタ名に応じてデータコードをさらに展開して定義するテーブルである。そしてデータコードに対しては後述する言語辞書マスタT059を参照して区分、言語キー、日本語、英語で具体的に定義する。
【００３３】
図１９は、工程用Ｃ／Ｔ項目情報テーブルT016のデータ構造を示し、サイクルタイム情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３４】
図２０は、Ｃ／Ｔ項目情報テーブルT017のデータ構造を示し、サイクルタイム情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３５】
図２１は、稼動情報項目情報テーブルT018のデータ構造を示し、稼動情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３６】
図２２は、設備アラーム項目情報テーブルT019のデータ構造を示し、設備アラーム情報の属性項目データを管理するテーブルであり、紐付けする管理グループＩＤを指定するグ
ループＩＤ、レコード登録順に通番を格納するレコードＩＤ、１項目が項目マスタ１レコードに対応する項目ID1データ〜項目ID100データなどについて定義する。
【００３７】
図２３は、ツール一覧情報項目情報テーブルT020のデータ構造を示し、ツール一覧情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３８】
図２４は、ツール交換履歴項目情報テーブルT021のデータ構造を示し、ツール交換履歴情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００３９】
図２５は、部品一覧情報項目情報テーブルT022のデータ構造を示し、部品一覧情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００４０】
図２６は、部品交換履歴項目情報テーブルT023のデータ構造を示し、部品交換履歴情報の属性項目データを管理するテーブルであり、紐付けする管理グループＩＤを指定するグループＩＤ、レコード登録順に通番を格納するレコードＩＤ、１項目が項目マスタ１レコードに対応する項目ID1データ〜項目ID100データなどについて定義する。
【００４１】
図２７は、プログラム情報テーブルT024のデータ構造を示し、プログラム情報を管理するテーブルであり、ラインコード、マシンコード、制御装置システム通番、切替名、プログラム名、プログラム番号などについて定義する。
【００４２】
図２８は、履歴情報―プログラム情報テーブルT025のデータ構造を示し、プログラム情報の収集時刻を履歴管理するテーブルであり、レコード番号、収集時刻、直、ラインコード、マシンコード、制御装置システム通番、最新版数、更新者コード、更新時刻、プログラム区分コード、収集項目、表示用ファイル名、プログラム名、バイナリフラグ、系統などについて定義する。
【００４３】
図２９は、収集スケジュール情報テーブルT028のデータ構造を示し、収集スケジュールを管理するテーブルであり、ラインコード、バックアップ単位、日、時、分、１直、２直、３直、月曜日〜日曜日などを定義する。
【００４４】
図３０は、設備情報基本条件マスタテーブルT035のデータ構造を示し、設備情報画面の基本条件項目が各項目情報のどの項目ＩＤか管理するテーブルであり、基本条件項目の管理グループＩＤを指定する管理グループＩＤ、フラグ１がセットされると管理グループＩＤが固定条件となる条件種別、検索対象の項目情報テーブル名を指定するテーブル名、検索キー項目ＩＤを指定する検索キー項目ＩＤ、検索キー項目ＩＤに対応する表示内容項目ＩＤを指定する表示内容項目ＩＤなどを定義する。
【００４５】
図３１は、ＱＣ端末登録情報項目情報テーブルT039のデータ構造を示し、ＱＣ端末登録情報の属性項目データを管理するテーブルであり、グループＩＤ、レコードＩＤ、項目ID1データ〜項目ID100データなどについて定義する。
【００４６】
図３２は、設備情報削除条件マスタテーブルT040のデータ構造を示し、設備情報画面の削除条件項目が各項目情報のどの項目ＩＤかを管理するテーブルであり、ツリーＩＤ(１
〜ｎ)を指定するツリーＩＤ、ツリーＩＤ毎に対応する管理グループＩＤと、配下の管理グループＩＤを指定するグループＩＤ、管理グループＩＤの削除対象レコードを特定するキー項目ＩＤを指定する削除キー項目ＩＤなどについて定義する。
【００４７】
図３３は、直マスタテーブルT048のデータ構造を示し、就業時間に係る直のデータを管理するテーブルであり、製作所コード、工場コード、直、開始時刻、終了時刻などについて定義する。
【００４８】
図３４は、機種マスタテーブルT058のデータ構造を示し、機種No.、機種名などの機種情報を管理するテーブルであり、製作所コード、工場コード、ラインコード、機種No.、属性、機種名などについて定義する。
【００４９】
図３５は、言語辞書マスタテーブルT059のデータ構造を示し、画面に表示する画面名、項目名、ボタン名、メッセージを定義するテーブルであり、区分、辞書キー、言語コード、表示内容、表示区分などについて定義する。
【００５０】
図３６は、言語マスタテーブルT060のデータ構造を示し、言語を管理するテーブルであり、言語コード、言語などについて定義する。
図３７は、工具項目情報テーブルT064のデータ構造を示し、ツール一覧情報の属性項目データを管理するテーブルであり、グループＩＤ、レコードＩＤ、項目ID1データ〜項目ID100データなどについて定義する。
【００５１】
図３８は、収集情報(トレース情報(工程払出情報))テーブルT089のデータ構造を示し、トレース情報（工程払出履歴）の収集データを格納するテーブルであり、レコード番号、収集時刻、直、項目1〜項目100などについて定義又はデータ格納する。
【００５２】
図３９は、本発明の設備情報の収集管理システムに係る設備情報画面表示例を示す図であり、画面901で設備情報を表示する。この設備情報の画面表示については、図１ではデータ表示部273と構造・情報表示部275に分けて表示するように図示されているが、実際は一つの端末画面に表示するものである。そして画面上部には、上部左端から、製作所名、工場名、ライン名、工程名、マシン名、制御装置、ツールNo．、部品ＩＤなどの設備情報基本項目902がプルダウン形式で表示される。そして画面のほぼ中央で分割された画面901の左半部には、チェックを入れて選択可能なツリー選択ボタンが表示され、資源構造ツリーを選択したことで構造ツリーボタン903にチェックが入っている。構造ツリーボタン903の右側には情報ツリーボタン904が配置される。それらのボタンの下には、変更ボタン905、追加ボタン906、削除ボタン907が配置されている。これらのボタン操作については後述する。変更ボタン905、追加ボタン906、削除ボタン907の下側にはアイコンで区分けされたツリー構造908が表示されている。
【００５３】
また画面のほぼ中央で分割された画面901の右半部には、ボタンで区分けされたタブ909が表示される。タブについては図４で説明した設備情報タブグループマスタテーブルT002によって管理される。タブ909の表示数は上述した構造ツリー908で選択された項目(現在選択された項目が‘ＤＤＤ調整’)により決定され、さらにタブ909のいずれを表示するかは検索条件により決定され、決定されたタブ909は色を変えて表示する。ちなみに現在の画面表示におけるタブは「Ｃ／Ｔ(サイクルタイム)」を表示している。タブ909の下にはこの画面表示では詳細検索ボタン910、ＣＳＶボタン911が配置され、詳細検索ボタン910を操作すると、検索条件にしたがい、検索結果を一覧表示する。また、ＣＳＶボタン911を操作すると、検索結果一覧をＣＳＶ形式ファイルでダウンロードするようにできる。
【００５４】
また詳細検索ボタン910、ＣＳＶボタン911の下には、期間についての検索条件912をfro
m,to形式で時分の単位まで表示できるようにしている。そして検索結果一覧913を画面のほぼ中央で分割された画面901の右半部の下に表示する。
【００５５】
図４０（ａ）は、図３９に示した期間についての検索条件912を定義するテーブルを示しており、from,to形式で年、月、日、時、分の単位で表示可能にしている。また図４０（ｂ）は、図３９に示した検索結果913に表示する項目を定義するテーブルを示している。
【００５６】
図４１は、図３９の設備情報画面で情報ツリーが選択された場合の画面表示例を示す図であり、情報ツリー画面921では、ツリー構造922が図３９のツリー構造908と同様に表示される。なお情報ツリー表921のツリー構造922で表示される項目は図３９のツリー構造908と似ているが、ツリー構造908に表示される構造設備の項目に対して当該構造設備に関連する設備情報、例えば業務に近い情報などについても図示していないが表示可能にされる。
【００５７】
図４２はツリー表示用データ例を示すテーブルであり、設備情報ツリー表示項目マスタテーブルT003により定義され、設備情報表示画面に表示される。ツリータイプ934に設定される区分が「０」ならば、ツリー構造908が、また「１」ならば、ツリー構造922に表示されることを示している。またグループタブＩＤ933は、タブグループＩＤが同じ値なら同一タブとして図３９のタブ909のように表示される。なお「０」はタブとして表示しないことを示している。また親ツリーＩＤ936は構造ツリーの階層表示で親を指定可能にするものである。ツリー・オーダ937はツリーの階層表示順番を示しており、若番が階層上位を表している。
【００５８】
図４３は、設備情報グループマスタT001(図３参照)における管理グループ言語キーを登録画面に指定する例を説明する図である。すなわち、登録画面1012の登録言語選択に表示する言語キー1013は、言語辞書マスタ1011の日本語欄に登録された言語辞書キー1014を指定して設定する。言語辞書マスタの詳細は図３５を参照されたい。
【００５９】
図４４は、設備情報グループマスタT001におけるソート条件の指定について説明する図である。図４４において、工程別Ｃ／Ｔ情報を指定する場合、画面検索条件で作成されるSQL文1025を作成し、これに検索する項目のソート条件1026をSQL ORDER BY 句 で指定し、これをＡＮＤ結合して、実行されるＳＱＬ文1027を作成する。これを画面1023の期間における検索条件1024と関連して説明すると、期間における検索条件1024は、画面検索条件で作成されるSQL文1025のように記述され、これに工程コードを絞込みするためにセッション情報テーブル1021の工程コードパラメータ名1022を指定して項目を括弧(中括弧)して条件付ける。これにより実行されるＳＱＬ文1027が完成して、図３９に示したような検索結果一覧913が画面表示される。
【００６０】
図４５は、設備情報タブグループマスタT002(図４参照)におけるタブグループ言語キーを設備情報画面のタブに指定する例を説明する図である。すなわち、設備情報画面1030のタブ1033に表示する言語キーは、言語辞書マスタ1031の日本語欄に登録された言語辞書キー1032を指定して設定する。言語辞書マスタの詳細は図３５を参照されたい。
【００６１】
図４６は、設備情報タブグループマスタT002におけるタブ表示順について説明する図である。図４６においてタブとして表示する表示グループ1040のタブ表示順の定義1041では、タブ表示順1042にように表示され、またタブとして表示する表示グループ1043のタブ表示順の定義1044では、タブ表示順1045にように表示される。
【００６２】
図４７は、設備情報ツリー表示項目マスタT003(図５参照)におけるツリーＩＤとタブ表
示との関係を説明する図である。図４７においてツリーＩＤはタブグループとの紐付けを管理するもので、図４７の画面表示1050の構造ツリーに表示される工程名ＤＤＤ調整1052が選択された場合には、タブ1053のように４つのタブ、すなわち詳細情報、Ｃ／Ｔ、稼動履歴、設備アラームが表示されることを示している。構造ツリーに表示される工程名ＤＤＤ調整1052以外が選択された場合には別のタブが表示されることになる。
【００６３】
図４８は、設備情報ツリー表示項目マスタT003におけるツリー区分を説明する図である。図４８に示されるように、ツリー区分で「０」を指定すれば、構造ツリー1061を表示し、ツリー区分で「１」を指定すれば、情報ツリー1062を表示する。これについては図４２において一度説明している。
【００６４】
図４９は、設備情報ツリー表示項目マスタT003(図５参照)におけるアイコンファイル名を説明する図である。図４９に示されるように、ツリーに表示されるアイコンはファイルに格納されているので、アイコンのファイル名を指定することでアイコン1065のように表示することができる。
【００６５】
図５０は、設備情報ツリー表示項目マスタT003における親ツリーＩＤを説明する図である。図５０に示されるように、ツリーＩＤによって階層表示が関係関連付けられたテーブル1071に親ツリーＩＤが定義されている場合には、階層表示されるツリーＩＤ1072を親ＩＤによって辿ることで親がだれであるかを知ることができる。
【００６６】
図５１は、設備情報項目マスタT005(図７参照)における表示順を説明する図である。図５１に示されるように、データ一覧テーブル(登録、表示画面を含む)1081の表示において表示順は、テーブル左から右に向かって表示順番が指定される。また登録サブ画面1082においては、画面上から順に表示順番が指定される。
【００６７】
図５２は、設備情報項目マスタT005における自項目データ抽出ＳＱＬ、自項目数、キー項目ＩＤ、連動項目ＩＤが単独指定である例を説明する図である。自項目データ抽出ＳＱＬは、入力タイプがテキスト、プルダウン(ＳＱＬ)、入力可プルダウン(ＳＱＬ)の場合に、自項目にデフォルト表示するデータ、又はプルダウンの一覧を取得するためのＳＱＬを記述する。自項目数、キー項目ＩＤ、連動項目ＩＤの各項目はプルダウン選択により連動するキー情報を絞り込みする用途で使用するもので、自項目数は自項目データ抽出ＳＱＬにより取得する項目の列数を指定し、キー項目ＩＤは、自項目データ抽出ＳＱＬにより取得した２つ目以降の出力先項目ＩＤ（キー項目）を指定し、連動項目ＩＤはプルダウン設定後に連動して動作する項目ＩＤを指定する。図５２では、登録画面1091で自項目データ抽出ＳＱＬ、自項目数、キー項目ＩＤ、連動項目ＩＤが単独指定である例を説明している。図５２に示されるように、自項目データ抽出ＳＱＬ1092、自項目数1093、キー項目ＩＤ1094、連動項目ＩＤ1095のように設定される。
【００６８】
図５３は、設備情報項目マスタT005における自項目データ抽出ＳＱＬ、自項目数、キー項目ＩＤ、連動項目ＩＤが連動指定である例を説明する図であり、図５３の登録画面1101においてキー項目ＩＤ１及びＩＤ３を連動する場合の指定方法について示すもので、自項目データ抽出ＳＱＬ1102、1103には自項目数により指定された数分の項目を取得するＳＱＬ文を指定し、項目名には DATA1, DATA2, … DATAn を記述し、DATA1 をプルダウン表示項目とし、Where句 に項目ＩＤの指定を可能にし、指定すれば指定された項目ＩＤのデータ(メモリ上)と置き換えられるようになっている。またキー項目ＩＤには、DATA2 以降の出力先項目ＩＤを指定し、連動項目ＩＤには、次に連動する項目ＩＤを指定する(NULLで連動を終了)。またデフォルト値は、自項目表示パラメータ名（後述する）に指定されているセッション情報から各データを取得後、キー項目ＩＤに指定したＩＤのデータと一致する項目が選択される(一致する項目が無い場合は空白が表示される)。
【００６９】
図５４は、設備情報項目マスタT005における自項目表示パラメータ名を説明する図であり、図５４に登録サブ画面に受け渡すデータのパラメータをパラメータ一覧1111の定義に基づいて設定すると、設定したパラメータを「自項目表示パラメータ名」として登録サブ画面1110を開く時に受け渡すパラメータ名として指定できる。なお、パラメータに紐付くデータを初期値として利用する。
【００７０】
図５５は、設備情報項目マスタT005における集計種類の指定を元に設備情報画面に集計結果を表示する例を説明する図であり、図５５に示すように、設備情報項目マスタT005における集計有無で集計有効を示すフラグ「１」が設定されている前提で、集計種類の指定1120では、集計する内容を指定する。すなわち、フラグ「０」の場合、集計では最大、最小、平均の３項目を表示し、フラグ「１」の場合、集計では合計の１項目を表示し、フラグ「２」の場合、集計では最大、最小、平均、合計の４項目を表示するようにしている。また、集計結果の出力例1122は、項目ＩＤ=3（サイクルタイム）の集計有無に「１」、集計種類に「０」が指定された場合を示しており、複数の項目ＩＤに集計有無が「１」で、集計種類の指定がなされた場合には、上から順に項目ＩＤごとに集計結果が表示される。
【００７１】
図５６は、設備情報項目マスタT005における文字情報マスタ種別の指定例を説明する図であり、図５６に示すように、設備情報項目マスタT005における文字情報マスタ参照有無が有効であるとの前提で、表示する文字情報マスタ種別を指定する。つまり、ステータスを表示する画面例1130において、ステータスの内容を示すプルダウン表示1131する場合、文字情報マスタT015（図１７参照）の種別：２(ツールステータスマスタ)の内容1133をプルダウンに表示する場合、文字情報マスタの内容1133の辞書キー1134を言語辞書マスタT059(図３５参照)の参照キー1135として参照し言語辞書マスタから表示内容1136を抽出して表示文字1132を取得する。項目情報にはデータコード1137を割り付ける。
【００７２】
図５７は、設備情報項目マスタT005におけるレコードＩＤに付加する項目の順序(書式)を指定する例を説明する図であり、図５７に示すように、レコードＩＤ情報テーブル1141のＩＤ情報に紐付くデータ1142をオラクルシーケンス10桁に結合してレコードＩＤを生成する場合、設備情報項目マスタT005(図７参照)に定義される各項目の有効桁数を元にＩＤ情報の１から順に表示桁数のサイズで文字列を結合して所定のレコードＩＤを生成する。但し、レコードＩＤ情報テーブル1141のＩＤ情報に記載されるNULLはレコードＩＤに格納しない。
【００７３】
図５８は、設備情報リンク項目情報T006(図８参照)におけるリンク項目データ抽出ＳＱＬ、リンクデータ出力先項目ＩＤを説明する図である。リンク項目データ抽出ＳＱＬは、リンク先に表示するデータを抽出するＳＱＬ文を記述し、リンクデータ出力先項目ＩＤは、リンク項目データ抽出ＳＱＬの結果を出力する項目ＩＤを指定する。なおリンク先項目の入力タイプがテキストでない時は処理しない。図５８に示すように、リンク項目データ抽出ＳＱＬ文1152が登録されていれば、登録画面1151の登録情報選択プルダウンで確定したデータ、すなわちツールに紐付くデータをリンクデータ出力先項目ＩＤ：７に表示する。この場合、ＳＥＬＥＣＴ文1152の登録時に取得列の別名‘ＤＡＴＡ’をＳＱＬ文1152に付加するとともに項目コード１に括弧(中括弧)で囲まれた項目ＩＤのデータを設定しリンク項目データ抽出ＳＱＬの結果1153を出力する。
【００７４】
図５９は、設備情報項目マスタT005(図７参照)のグループＩＤに紐付く項目のデータが格納される項目情報テーブルT007〜T023,T039(図９〜図２６、図３１参照)の紐付けの様子を説明する図である。図５９において、設備情報表示画面1161の表示部1166には、項目情報テーブル1165に格納された項目ＩＤ１〜項目ＩＤ５のデータが表示されるが、この場合、管理グループＩＤが項目情報テーブル1165と共通する項目マスタT005(図７参照)の項
目ＩＤ１のデータ1162、同じく項目ＩＤ２のデータ1163、・・・、および項目ＩＤ５のデータ1164が項目情報テーブル1165に紐付けされて格納される。
【００７５】
図６０は、設備情報個別画面呼出マスタT004(図６参照)における個別の画面呼出ボタンの追加指定例を示す図である。図６０の設備情報表示画面1171においては追加されたボタン例としてはグラフ表示1174が指定されたものとして示されている。また設備情報個別画面呼出マスタT004(図６参照)においては、個別画面呼出ボタンがクリックされたときに表示する画面のプログラム名を指定する。いまプログラム名HagDataGraph.aspが指定されたとすると、実行時に詳細条件の左上から右方向にP1, P2, ・・・Pn のパラメータが渡され、?P1=2006&P2=01&P3=09&P4=05&P5=30&P6=2006&P7=01
&P8=31&P9=05&P10=30&P11=T000100234&P12=xxdehajimaru
また基本条件としてセッション情報から必要な値を取得する。なお、セッション情報は設備情報項目マスタT005(図７参照)の自項目表示パラメータ名のセッション情報一覧を参照する。
【００７６】
これにより期間についての検索条件1172、またプルダウン1173で選択される項目「で始まる」がテーブル1175に示される「で始まる」に対応する辞書キー xxdehajimaru がテキスト検索の条件としてプログラムに渡される。
【００７７】
図６１は、設備情報基本条件マスタT035(図３０参照)における基本条件の管理について説明する図である。図６１の設備情報表示画面1180において基本条件1181が示されているが、この基本条件は、設備情報項目マスタT005(図７参照)の項目19に指定されている検索条件表示先に基本条件：１として指定された項目が対象となっており、設備情報基本条件マスタT035では基本条件で項目情報を検索する際の項目ＩＤを管理している。
【００７８】
図６２は、設備情報削除条件マスタT040(図３２参照)における削除条件の管理について説明する図である。図６２の設備情報表示画面1190のツリー構造1191において設備情報削除条件マスタT040は、設備情報を削除する際に削除条件となる項目ＩＤを管理している。
【００７９】
図６３は、ツリー上のデータ項目(ツリー)を選択し、さらに追加／変更／削除ボタンをクリックして追加／変更／削除する処理動作を説明するフローチャートである。この追加／変更／削除する処理は、図１の構成定義部274にて実行する。図６３においてステップS11では、設備情報ツリー表示項目マスタT003(図５参照)から選択されたツリー項目に対応する設備情報ツリー表示項目マスタ情報を取得する。ステップS12では削除か否かを判定し、削除でなければステップS13に進み、ステップS13では変更か否かを判定し、変更でなければステップS14に進み、ステップS14では選択したツリー項目の上位項目までを初期表示として情報登録画面を表示し、「登録情報選択」をアクティブにする。そしてステップS15では登録情報選択画面(図６３左部)上で情報を入力する。次いでステップS16では登録か否かを判定する。登録でなければ処理を終了し、登録であればステップS17に進み、ステップS17では「登録情報選択」に選択した項目に対応する管理グループＩＤを取得する。次いでステップS18では、上記ステップS17で取得したグループＩＤをステップS11で取得した設備情報ツリー表示項目マスタ情報に書替えた上で更にツリー表示順位を＋１して新しいツリー情報を生成して、設備情報ツリー表示項目マスタT003(図５参照)に登録する。さらにステップS19では、上記ステップS18のグループＩＤをキーに対応テーブルT007〜T023,T039(図９〜図２６、図３１参照)を確定し、レコードＩＤ及びそのグループに必要とする他のデータＩＤを生成して、管理グループ情報を登録する。そして処理を終了する。
【００８０】
上記ステップS12の判定で削除であれば、ステップS20に進み、ステップS20では権限を確認して、正当な操作と認める場合、設備情報削除条件マスタT040(図３２参照)で規定した範囲で、選択されたツリー項目に対応する設備情報ツリー表示項目マスタ情報及び、対
応する管理グループの登録情報を削除する。そして処理を終了する。
【００８１】
また上記ステップS13の判定で変更であれば、ステップS21に進み、ステップS21では選択したツリー項目の情報を初期表示情報として情報登録画面を表示し、「登録情報選択」をアクティブにする。そしてステップS22では登録情報選択画面(図６３左部)上で情報を入力する。次いでステップS23では登録か否かを判定する。登録でなければ処理を終了し、登録であればステップS24に進み、ステップS24ではステップS11で取得したグループＩＤをキーに対応テーブルT007〜T023,T039(図９〜図２６、図３１参照)を確定し、レコードＩＤ及びそのグループに必要とする他のデータＩＤを生成して、管理グループ情報を登録する。そして処理を終了する。
【図面の簡単な説明】
【００８２】
【図１】本発明の実施形態に係る設備情報の収集管理システムの構成を示すブロック図である。
【図２】収集情報に係るテーブル間のリンク関係の一例を示す図である。
【図３】設備情報グループマスタテーブルT001のデータ構造を示す図である。
【図４】設備情報タブグループマスタテーブルT002のデータ構造を示す図である。
【図５】設備情報ツリー表示項目マスタテーブルT003のデータ構造を示す図である。
【図６】設備情報個別画面呼出マスタテーブルT004のデータ構造を示す図である。
【図７】設備情報項目マスタテーブルT005のデータ構造を示す図である。
【図８】設備情報リンク項目情報テーブルT006のデータ構造を示す図である。
【図９】製作所登録項目情報テーブルT007のデータ構造を示す図である。
【図１０】工場登録項目情報テーブルT008のデータ構造を示す図である。
【図１１】ライン登録情報項目情報テーブルT009のデータ構造を示す図である。
【図１２】工程登録情報項目情報テーブルT010のデータ構造を示す図である。
【図１３】設備登録情報項目情報テーブルT011のデータ構造を示す図である。
【図１４】制御装置登録情報項目情報テーブルT012のデータ構造を示す図である。
【図１５】ツール登録情報項目情報テーブルT013のデータ構造を示す図である。
【図１６】部品登録情報項目情報テーブルT014のデータ構造を示す図である。
【図１７】文字情報項目情報テーブルT015のデータ構造を示す図である。
【図１８】図１７に示す文字情報項目情報テーブルT015の項目‘種別’を細分してマスタ種およびマスタ名を展開し、マスタ名に応じてデータコードをさらに展開して定義するテーブルである。
【図１９】工程用Ｃ／Ｔ項目情報テーブルT016のデータ構造を示す図である。
【図２０】Ｃ／Ｔ項目情報テーブルT017のデータ構造を示す図である。
【図２１】稼動情報項目情報テーブルT018のデータ構造を示す図である。
【図２２】設備アラーム項目情報テーブルT019のデータ構造を示す図である。
【図２３】ツール一覧情報項目情報テーブルT020のデータ構造を示す図である。
【図２４】ツール交換履歴項目情報テーブルT021のデータ構造を示す図である。
【図２５】部品一覧情報項目情報テーブルT022のデータ構造を示す図である。
【図２６】部品交換履歴項目情報テーブルT023のデータ構造を示す図である。
【図２７】プログラム情報テーブルT024のデータ構造を示す図である。
【図２８】履歴情報―プログラム情報テーブルT025のデータ構造を示す図である。
【図２９】収集スケジュール情報テーブルT028のデータ構造を示す図である。
【図３０】設備情報基本条件マスタテーブルT035のデータ構造を示す図である。
【図３１】ＱＣ端末登録情報項目情報テーブルT039のデータ構造を示す図である。
【図３２】設備情報削除条件マスタテーブルT040のデータ構造を示す図である。
【図３３】直マスタテーブルT048のデータ構造を示す図である。
【図３４】機種マスタテーブルT058のデータ構造を示す図である。
【図３５】言語辞書マスタテーブルT059のデータ構造を示す図である。
【図３６】言語マスタテーブルT060のデータ構造を示す図である。
【図３７】工具項目情報テーブルT064のデータ構造を示す図である。
【図３８】収集情報(トレース情報(工程払出情報))テーブルT089のデータ構造を示す図である。
【図３９】本発明の設備情報の収集管理システムに係る設備情報画面表示例を示す図である。
【図４０】（ａ）は、図３９に示した期間についての検索条件912を定義するテーブルを示す図、（ｂ）は、図３９に示した検索結果913に表示する項目を定義するテーブルを示す図である。
【図４１】図３９の設備情報画面で情報ツリーが選択された場合の画面表示例を示す図である。
【図４２】ツリー表示用データ例を示すテーブルである。
【図４３】図３に示した設備情報グループマスタT001における管理グループ言語キーを登録画面に指定する例を説明する図である。
【図４４】図３に示した設備情報グループマスタT001におけるソート条件の指定について説明する図である。
【図４５】図４に示した設備情報タブグループマスタT002におけるタブグループ言語キーを設備情報画面のタブに指定する例を示す図である。
【図４６】図４に示した設備情報タブグループマスタT002におけるタブ表示順について説明する図である。
【図４７】図５に示した設備情報ツリー表示項目マスタT003におけるツリーＩＤとタブ表示との関係を説明する図である。
【図４８】図５に示した設備情報ツリー表示項目マスタT003におけるツリー区分を説明する図である。
【図４９】図５に示した設備情報ツリー表示項目マスタT003におけるアイコンファイル名を説明する図である。
【図５０】図５に示した設備情報ツリー表示項目マスタT003における親ツリーＩＤを説明する図である。
【図５１】図７に示した設備情報項目マスタT005における表示順を説明する図である。
【図５２】図７に示した設備情報項目マスタT005における自項目データ抽出ＳＱＬ、自項目数、キー項目ＩＤ、連動項目ＩＤが単独指定である例を説明する図である。
【図５３】図７に示した設備情報項目マスタT005における自項目データ抽出ＳＱＬ、自項目数、キー項目ＩＤ、連動項目ＩＤが連動指定である例を説明する図
【図５４】図７に示した設備情報項目マスタT005における自項目表示パラメータ名を説明する図である。
【図５５】図７に示した設備情報項目マスタT005における集計種類の指定を元に設備情報画面に集計結果を表示する例を説明する図である。
【図５６】図７に示した設備情報項目マスタT005における文字情報マスタ種別の指定例を説明する図である。
【図５７】図７に示した設備情報項目マスタT005におけるレコードＩＤに付加する項目の順序(書式)を指定する例を説明する図である。
【図５８】図８に示した設備情報リンク項目情報T006におけるリンク項目データ抽出ＳＱＬ、リンクデータ出力先項目ＩＤを説明する図である。
【図５９】図７に示した設備情報項目マスタT005のグループＩＤに紐付く項目のデータが格納される項目情報テーブルT007〜T023,T039の紐付けの様子を説明する図である。
【図６０】図６に示した設備情報個別画面呼出マスタT004における個別の画面呼出ボタンの追加指定例を示す図である。
【図６１】図３０に示した設備情報基本条件マスタT035における基本条件の管理について説明する図である。
【図６２】図３２に示した設備情報削除条件マスタT040における削除条件の管理について説明する図である。
【図６３】ツリー上のデータ項目(ツリー)を選択し、さらに追加／変更／削除ボタンをクリックして追加／変更／削除する処理動作を説明するフローチャートである。
【符号の説明】
【００８３】
250   収集ＰＣ
251   機器・装置(被収集)
252   データ収集用ドライバ
253   データ収集部
254   プロセスデータファイル
255   定義データ取得部
256   収集スケジューラ
257   データ連携部
260   ＤＢサーバ
261   トレンドデータファイル
262   設備情報タブグループ定義情報ファイル
263   設備情報項目マスタファイル
264   設備情報リンク項目情報ファイル
265   設備情報グループ管理マスタファイル
266   各種項目情報ファイル
267   構成定義情報ファイル
270   ＡＰサーバ
271   条件検索部
272   表示データ抽出・取得部
273   データ表示部
274   構成定義部
275   構造・情報表示部
【図１】
0005157282.tif 000002
【図２】
0005157282.tif 000003
【図３】
0005157282.tif 000004
【図４】
0005157282.tif 000005
【図５】
0005157282.tif 000006
【図６】
0005157282.tif 000007
【図７】
0005157282.tif 000008
【図８】
0005157282.tif 000009
【図９】
0005157282.tif 000010
【図１０】
0005157282.tif 000011
【図１１】
0005157282.tif 000012
【図１２】
0005157282.tif 000013
【図１３】
0005157282.tif 000014
【図１４】
0005157282.tif 000015
【図１５】
0005157282.tif 000016
【図１６】
0005157282.tif 000017
【図１７】
0005157282.tif 000018
【図１８】
0005157282.tif 000019
【図１９】
0005157282.tif 000020
【図２０】
0005157282.tif 000021
【図２１】
0005157282.tif 000022
【図２２】
0005157282.tif 000023
【図２３】
0005157282.tif 000024
【図２４】
0005157282.tif 000025
【図２５】
0005157282.tif 000026
【図２６】
0005157282.tif 000027
【図２７】
0005157282.tif 000028
【図２８】
0005157282.tif 000029
【図２９】
0005157282.tif 000030
【図３０】
0005157282.tif 000031
【図３１】
0005157282.tif 000032
【図３２】
0005157282.tif 000033
【図３３】
0005157282.tif 000034
【図３４】
0005157282.tif 000035
【図３５】
0005157282.tif 000036
【図３６】
0005157282.tif 000037
【図３７】
0005157282.tif 000038
【図３８】
0005157282.tif 000039
【図３９】
0005157282.tif 000040
【図４０】
0005157282.tif 000041
【図４１】
0005157282.tif 000042
【図４２】
0005157282.tif 000043
【図４３】
0005157282.tif 000044
【図４４】
0005157282.tif 000045
【図４５】
0005157282.tif 000046
【図４６】
0005157282.tif 000047
【図４７】
0005157282.tif 000048
【図４８】
0005157282.tif 000049
【図４９】
0005157282.tif 000050
【図５０】
0005157282.tif 000051
【図５１】
0005157282.tif 000052
【図５２】
0005157282.tif 000053
【図５３】
0005157282.tif 000054
【図５４】
0005157282.tif 000055
【図５５】
0005157282.tif 000056
【図５６】
0005157282.tif 000057
【図５７】
0005157282.tif 000058
【図５８】
0005157282.tif 000059
【図５９】
0005157282.tif 000060
【図６０】
0005157282.tif 000061
【図６１】
0005157282.tif 000062
【図６２】
0005157282.tif 000063
【図６３】
0005157282.tif 000064